(57)【要約】【課題】透光性の遊技盤を有効活用して遊技領域を拡大することを可能とした遊技機を提供する。【解決手段】一部若しくは全部が透光性部材からなる遊技盤ベース１８と、該遊技盤ベース１８の表面と裏面に、夫々所定の遊技部材を備えて遊技球の転動流下可能な表側遊技領域Ａと裏側遊技領域Ｂを備えて遊技盤１９を形成し、前記遊技盤ベース１８には、前記表側遊技領域Ａを転動する遊技球が裏側遊技領域Ｂへと導出可能な遊技球導出孔２０を備えた。【選択図】    図２
2006247107.tif 000002
【特許請求の範囲】
【請求項１】
一部若しくは全部が透光性部材からなる遊技盤ベースと、
該遊技盤ベースの表面と裏面に、夫々所定の遊技部材を備えて遊技球の転動流下可能な表側遊技領域と裏側遊技領域を備えて遊技盤を形成し、
前記遊技盤ベースには、前記表側遊技領域を転動する遊技球が裏側遊技領域へと導出可能な遊技球導出孔を備えたことを特徴とする遊技機。
【請求項２】
裏側遊技領域にて転動する遊技球を、表側遊技領域へと導入可能な遊技球導入孔を備えたことを特徴とする請求項１に記載の遊技機。
【請求項３】
表側遊技領域と裏側遊技領域に備えられた遊技部材の構成を異にしたことを特徴とする請求項１又は２に記載の遊技機。
【請求項４】
遊技部材は、遊技盤に備えられた遊技釘であって、
表側遊技領域と裏側遊技領域に備えた遊技釘は、夫々の配設位置と釘傾斜角度のいずれか又は双方を異にすることを特徴とする請求項１乃至３のいずれかに記載の遊技機。
【請求項５】
表側遊技領域と裏側遊技領域の遊技釘が相互に入れ替え可能であることを特徴とする請求項４に記載の遊技機。
【請求項６】
遊技盤ベースの所定の領域には、表側遊技領域と裏側遊技領域とにわたって連通する一個乃至複数個の貫通孔を設け、
該貫通孔には、遊技釘が孔方向にスライド可能に保持されており、
前記遊技釘は、前記表側遊技領域と裏側遊技領域のいずれか一方を選択して、夫々の領域に突出可能に構成されていることを特徴とする請求項５に記載の遊技機。
【請求項７】
遊技釘を備えた箇所の遊技盤ベースの一部が、該遊技盤ベースの表側と裏側で反転可能に構成されていることを特徴とする請求項５又は６に記載の遊技機。
【発明の詳細な説明】
【技術分野】
【０００１】
本発明は、透光性の遊技盤を備えた遊技機に関する。
【背景技術】
【０００２】
遊技機、例えばパチンコ機（弾球遊技機）には、遊技釘を配設する遊技盤ベースを透光性部材で構成することにより、遊技盤後方の表示装置が、該透光性を有する遊技盤を介して視認可能としているものが提供されている（例えば、特許文献１参照）。
【特許文献１】特開２０００−６１０４７号公報
【発明の開示】
【発明が解決しようとする課題】
【０００３】
しかし、前記特許文献１に開示のような先行技術によれば、前述のように表示装置を視認可能とするために透光性の遊技盤を採用しているが、このような目的以外にも遊技盤の裏側が視認可能であるというメリットを活かした透光性遊技盤の有効利用が望まれている。すなわち、このように透光性の遊技盤を採用している遊技機でも、遊技球の転動流下する領域は、遊技盤の表側の領域（表側遊技領域）のみであるため、遊技球の動きが平面的で興趣に欠けていた。
本発明は、このような問題を解決するためになされており、その目的とするところは、透光性の遊技盤を有効活用して遊技領域を拡大することを可能とした遊技機を提供することにある。
【課題を解決するための手段】
【０００４】
このような目的を達成するために、第１の発明は、一部若しくは全部が透光性部材からなる遊技盤ベース１８と、該遊技盤ベース１８の表面と裏面に、夫々所定の遊技部材を備えて遊技球の転動流下可能な表側遊技領域Ａと裏側遊技領域Ｂを備えて遊技盤１９を形成し、前記遊技盤ベース１８には、前記表側遊技領域Ａを転動する遊技球が裏側遊技領域Ｂへと導出可能な遊技球導出孔２０を備えたことを特徴とする遊技機としたことである。
本発明によれば、遊技盤１９の裏側が視認可能というメリットを活かして遊技盤１９の裏側も遊技球の転動流下可能な遊技領域（裏側遊技領域Ｂ）としたので、表側遊技領域Ａとともに遊技球の転動流下可能な領域を拡大することができる。このような構成を採用することにより、遊技盤１９の表裏両面で遊技球が転動流下可能となり、複雑かつ奥行き感のある立体的な遊技球の動きを遊技者に提供することができ、遊技の興趣を向上させることができる。
【０００５】
第２の発明は、第１の発明において、裏側遊技領域Ｂにて転動する遊技球を、表側遊技領域Ａへと導入可能な遊技球導入孔２１を備えたことを特徴とする遊技機としたことである。
本発明によれば、表側遊技領域Ａから裏側遊技領域Ｂに導出された遊技球が、該裏側遊技領域Ｂを転動流下した後に、再度表側遊技領域Ａに導入されるため、第１の発明における遊技球の転動流下をさらに複雑かつ立体的にして変化を付与することができ、遊技性を向上できる。
【０００６】
第３の発明は、第１又は第２の発明において、表側遊技領域Ａと裏側遊技領域Ｂに備えられた遊技部材の構成を異にしたことを特徴とする遊技機としたことである。
本発明によれば、表側遊技領域Ａを転動流下する遊技球の動きと、裏側遊技領域Ｂを転動流下する遊技球の動きに変化を与えることができ、第１の発明における遊技球の動きがさらに変化のある動きとなり遊技の興趣が向上する。
また、遊技盤１９を表裏逆にすれば、一枚の遊技盤１９で二通りの遊技性を出すことが出来る。また、遊技盤１９交換時のコスト安価、交換作業の容易性等も向上し、遊技盤１９の有効利用が図れる。
【０００７】
第４の発明は、第１乃至第３のいずれかの発明において、遊技部材は、遊技盤１９に備えられた遊技釘１４であって、表側遊技領域Ａと裏側遊技領域Ｂに備えた遊技釘は、夫々の配設位置と釘傾斜角度のいずれか又は双方を異にすることを特徴とする遊技機としたことである。
本発明によれば、表側遊技領域Ａと裏側遊技領域Ｂを転動流下する遊技球は、夫々異なる遊技釘１４の配設位置や傾斜角度によって、遊技釘１４に衝突した際の跳ね返り方向や、流下案内方向などが異なるものとなり、異なる遊技球の転動流下態様により遊技性が向上する。
【０００８】
第５の発明は、第４の発明において、表側遊技領域Ａと裏側遊技領域Ｂの遊技釘１４が相互に入れ替え可能であることを特徴とする遊技機としたことである。
本発明によれば、例えば、表側遊技領域Ａに突出して備えられていた所定位置の遊技釘１４を裏側遊技領域Ｂへと突出させることにより、表側遊技領域Ａには対応する位置に遊技釘１４が存在しなくなり、遊技盤１９の表裏面における相対向する位置での遊技釘１４の有無による遊技球の転動流下態様を変化させることができる。多数箇所の遊技釘１４をこのように相互に入れ替え可能とすることにより、複数通りの遊技盤構成が提供可能である。
【０００９】
第６の発明は、第５の発明において、遊技盤ベース１８の所定の領域には、表側遊技領域Ａと裏側遊技領域Ｂとにわたって連通する一個乃至複数個の貫通孔２２を設け、該貫通孔２２には、遊技釘１４が孔方向にスライド可能に保持されており、前記遊技釘１４は、前記表側遊技領域Ａと裏側遊技領域Ｂのいずれか一方を選択して、夫々の領域に突出可能に構成されていることを特徴とする遊技機としたことである。
本発明によれば、第５の発明の遊技釘１４の入れ替え構成を具体的に示し、例えば表側遊技領域Ａに存している所定位置の遊技釘１４を、裏側遊技領域Ｂに向けて貫通孔２２の孔方向（Ｓ，Ｓ１）にスライドさせることにより、前記表側領域位置Ａには遊技釘１４が存しなくなり、相対向する裏側遊技領域Ｂ位置に前記遊技釘１４が突出して備えられることとなる。このような構成を採用することで、一本の遊技釘１４を遊技盤１９の表裏、すなわち表側遊技領域Ａと裏側遊技領域Ｂの双方で使用できるとともに、遊技釘１４の有無による遊技球の転動流下に容易に変化を与えることが可能となる。
【００１０】
第７の発明は、第５又は第６の発明において、遊技釘１４を備えた箇所の遊技盤ベース１８の一部が、該遊技盤ベース１８の表側と裏側で反転可能に構成されていることを特徴とする遊技機としたことである。
本発明によれば、第６の発明と同様に遊技釘１４の入れ替え構成の他の具体的な構成であって、遊技釘１４の配設されている遊技盤１９の一部を、該遊技盤１９の表裏にわたって回転させることにより入れ替え可能である。これにより、遊技釘１４の有無による遊技球の転動流下に変化を与える作業が容易となる。
【発明の効果】
【００１１】
本発明によれば、透光性の遊技盤を有効活用して遊技領域を拡大することを可能とした遊技機の提供が図れる。
【発明を実施するための最良の形態】
【００１２】
以下、本発明の一実施形態について説明する。なお、本実施形態は本発明の一例にすぎずなんらこれに限定解釈されるものではなく、本発明の範囲内で設計変更可能である。
【実施例１】
【００１３】
図１は、本発明を適用した弾球遊技機（パチンコ機ともいう）の一例を示す概略斜視図である。
弾球遊技機は、図１に示すように、外枠１の前面に内枠（ベースドア）２が回動自在に軸支され、該内枠２の前面には、図２に示すような遊技盤１９が着脱自在に装着され、該遊技盤１９の背面には図示しない表示装置が着脱自在に装着されている。
【００１４】
また、前記内枠２の前面には、図１に示すように、ガラス板４を嵌めたフロント扉３が回動自在に軸支され、該フロント扉３閉鎖時には、該フロント扉３の前側からガラス板４を介して前記遊技盤１９が視認される。
また、フロント扉３の前面下部には、図示しない払出装置から払い出された遊技球が遊技球受入口５ａから供給されるとともに、発射装置へと遊技球を供給するための遊技球供給皿（上皿）５が一体的に備えられている。
【００１５】
前記フロント扉３を軸支した内枠２の前面下部には、前記遊技球供給皿５満杯時に遊技球受入口５ａの内方で溢れ出た球（溢出球）を排出する下皿排出口６ａを有する下皿６を取付ベース７に一体的に備えた皿ユニット９が回動自在に軸支されている。
【００１６】
前記皿ユニット９の反軸支側の切欠き部分に対応する内枠２の前面下部箇所には、遊技球を表側遊技領域Ａへ向けて発射する発射装置のハンドル８を備えている。
発射装置は、前記ハンドル８のレバー８ａを時計回り方向に回転させることにより、例えば、内枠２の下部に備えた図示しない遊技球発射部の発射ソレノイドを駆動させる。
そしてこの発射ソレノイドの駆動により、図示しない球送り装置から供給された遊技球供給皿５からの遊技球を叩打して遊技球を表側の遊技領域Ａに打ち出すことができる。また、球送り装置は、その内部に球送りソレノイドを設けており、皿ユニット９から遊技球供給皿５を介して転動してきた遊技球を遊技球発射部に所定個数ずつ供給するために用いられる。
【００１７】
演出表示装置は、例えば「７」「７」「７」などの装飾的な演出表示等を行ったりする液晶演出表示装置（ＬＣＤ：Liquid Crystal Display）や、投影機からの動画又は静止画を、反射板で屈折して表示させる投影型画像演出表示装置も対象で、特に限定されず本発明の範囲内で種々の演出表示装置が適用される。
また、演出表示装置の大きさは、後述する遊技盤ベース１８の透明部材部分の大きさに合わせて変更可能であるが特に限定解釈されない。
なお、表示装置を備えない実施の形態も本発明の範囲である。
【００１８】
本発明の遊技機は、遊技盤１９の構成に特徴的な技術的手段を講じているため、以下、このような本発明の特徴的な構成を中心に説明し、それ以外の構成については上述の説明に留める。
【００１９】
本発明の遊技盤１９は、遊技球が転動流下する遊技領域として、遊技盤ベース１８の表側に種々の遊技部材を備えて構成した表側遊技領域Ａと、遊技盤ベース１８の裏側に種々の遊技部材を備えて構成した裏側遊技領域Ｂの双方を備えている。
【００２０】
遊技盤ベース１８は、種々の遊技部材を固定でき、かつ、容易に変形しない（曲がらない）又は変質しない程度の硬度・強度等を有する材質で形成されている。
また、遊技盤ベース１８は、少なくともその一部が無色透明のアクリル樹脂材、ポリカーボネート樹脂、ポリアリレート樹脂などの透明性の高い硬質の合成樹脂材（透明部材）で形成され、裏側に配設される表示装置がその透明部材を介して視認可能とする。なお、本実施例では、遊技盤ベース１８の全域、を透明部材でもって形成されている。
また、樹脂以外の材質、例えばガラスなどを採用することも本発明の範囲内であり設計変更可能である。
なお、遊技盤ベースの一部を透明部材からなる形態とする場合、透明部材以外の部分の材質は特に限定されず、例えばベニヤ合板からなるものなどが一例として挙げられる。
そして、本実施例の遊技盤ベース１８には、その任意箇所に、遊技球導出孔２０と遊技球導入孔２１を備えている。
【００２１】
遊技球導出孔２０は、表側遊技領域Ａを転動流下する遊技球が裏側遊技領域Ｂへと導出可能な程度に遊技盤ベース１８の表裏面にわたり穿設されている。
なお、本実施例では、図２及び図３に示すように遊技盤ベース１８の上方の領域略中央に一つ設けられているが、任意の箇所に任意の数、任意の孔形状で設けることが出来る。
【００２２】
遊技球導入孔２１は、裏側遊技領域Ｂにて転動流下する遊技球を、表側遊技領域Ａへと導入可能な孔で、本実施例では図２及び図３に示すように、遊技盤ベース１８の略中央位置にて長尺横孔状に遊技盤ベース１８の表裏面にわたり穿設されている。なお、遊技球導入孔２１の配設数や形状なども実施例に限定されること無く適宜設計変更可能である。
【００２３】
遊技部材は、弾球遊技機において遊技に必要な全ての部材を言い、本実施例では、表側遊技領域Ａに備えられる遊技部材と裏側遊技領域Ｂに備えられる遊技部材の構成を異にしていることも特徴的な構成の一つである。
【００２４】
表側遊技領域Ａを構成する遊技部材は、例えば、図２に示すように遊技球が転動する表側遊技領域Ａを区画すると共に、該表側遊技領域Ａに発射ソレノイドから打ち出される遊技球を導くガイドレール１５、表示装置の変動表示を起動すると共に、大当たりとするか否かの抽選処理を起動する始動入賞装置（始動入賞口ともいう）１０、大当たり時に開放するアタッカと称する特別電動役物を構成する大入賞装置（大入賞口ともいう）１１、遊技球が入賞することにより遊技球の払い出しが行われる一般入賞口１２、遊技領域での入賞を逃したアウト球を排出するアウト口１３、遊技盤ベース１８に備えられている多数の遊技釘１４などの遊技部材が一例として挙げられる。
【００２５】
裏側遊技領域Ｂを構成する遊技部材として、例えば、多数植設された遊技釘１４と、遊技球導出孔２０の出口下方に配設され、遊技球の流下方向を振り分ける裏側天通路１６と、裏側遊技領域Ｂを転動流下した遊技球を遊技球導入孔２１へと案内する裏側ステージ１７などの遊技部材が一例として挙げられる。
また、裏側ステージ１７は、裏側遊技領域Ｂの水平方向にわたる領域一杯に備えられ、遊技盤ベース１８の略中央に位置する遊技球導入孔２１に向けて左右方向から緩やかな下り傾斜状に形成されている。
なお、特に本実施例では規定しないが、この裏側ステージ１７には、転動する遊技球がステージ１７下方に落下する図示しない遊技球落下孔を一個乃至複数個設けることも可能である。このような構成を採用する場合には、裏側遊技領域Ｂの下方にも図示しないアウト口を備えるものとする。
【００２６】
また、本実施例では、図３に示すように、表側遊技領域Ａと裏側遊技領域Ｂの遊技釘１４構成を異にしている。
例えば、遊技釘１４の配設本数、配設位置、傾斜角度などの構成が、表側遊技領域Ａと裏側遊技領域Ｂで異なっている。このように、表側遊技領域Ａと裏側遊技領域Ｂの遊技釘１４構成を異にすることにより、表側遊技領域Ａを転動流下する遊技球の転動態様と、裏側遊技領域Ｂを転動する遊技球の転動態様が異なることにより、立体的で奥行き方向のある遊技球転動状態を遊技者に提供できる。
また、遊技釘１４構成は、本実施例に限らず、他の異なる構成を採用することも可能である。なお、本発明は、表側遊技領域Ａと裏側遊技領域遊技釘Ｂ構成を同一とすることを何等妨げるものではない。
【００２７】
なお、本実施例では、裏側遊技領域Ｂを転動流下した遊技球が全て裏側ステージ１７で拾われて遊技球導入孔２１を介して表側遊技領域Ａに戻る構成を採用しているが、裏側遊技領域Ｂを転動流下する遊技球は、遊技球導入孔２１を介して表側遊技領域Ａに戻るものと、表側遊技領域Ａに戻ることなく、別途備えた図示しない裏側のアウト口を介して排出されるものとする形態を採用することも可能で本発明の範囲内である。
この場合、遊技球導入孔２１に入り易いように釘配列を考慮する。
また、裏側遊技領域Ｂにも始動入賞口１０やゲートなどを備えることも可能である。
【００２８】
本実施例によれば、遊技盤１９の表裏両面で遊技球が転動流下可能となり、複雑かつ奥行き感のある立体的な遊技球の動きを遊技者に提供できる。
また、表側遊技領域Ａと裏側遊技領域Ｂを転動流下する遊技球は、夫々異なる遊技釘１４の配設位置や傾斜角度によって、遊技釘１４に衝突した際の跳ね返り方向や、流下案内方向などが異なるものとなり、異なる遊技球の転動流下態様により遊技性が向上する。
また、本実施例によれば、遊技盤１９を表裏逆に取り付けることも可能である。
【実施例２】
【００２９】
図４は本発明の実施例２で、遊技盤ベース１８に備えた遊技釘１４のうちの任意の箇所の遊技釘が、表側遊技領域Ａと裏側遊技領域Ｂで相互に入れ替え可能な構成を有する実施の一例である。その他の構成については実施例１と同様であるため説明は省略する。
例えば、その一例について図４に示す実施の構成に基づいて説明する。図４は要部の横断面図である。
【００３０】
本実施例では、遊技盤ベース１８の所定領域に、表側遊技領域Ａと裏側遊技領域Ｂとにわたって連通する一個乃至複数個の貫通孔２２を設け、該貫通孔２２には、遊技釘１４が孔方向（図中Ｓ，Ｓ１で示す方向）にスライド可能に保持されており、前記遊技釘１４は、前記表側遊技領域Ａと裏側遊技領域Ｂのいずれか一方を選択して、夫々の領域に突出可能に構成されている。
前記貫通孔２２の両端には、夫々釘頭部収容部２３，２３を設けている。
遊技釘１４は、鉄製で、両端に釘頭部１４ａ，１４ａを備えた形状に構成されている。
従って、本実施例によれば、貫通孔２２の孔方向に遊技釘１４をスライドさせることにより、遊技釘１４が表側遊技領域Ａと裏側遊技領域Ｂのいずれかに突出する。この時、突出していない側の釘頭部１４ａは、釘頭部収容部２３内に収容される。
【００３１】
本実施例の遊技釘１４は、作業者が手作業で遊技釘１４の突出方向を表側遊技領域Ａと裏側遊技領域Ｂのいずれかを選択して行うことも可能であるが、さらに本実施例では、遊技釘１４を自動的に遊技盤ベース１８の表裏で入れ替え可能な構成の一例を提供している。
すなわち、図中２５は、貫通孔２２の周囲に配した円柱状の巻きコイルで、該コイル２５は、遊技盤ベース１８外と電気的に接続されている。なお、図中２４は導電性のスペーサであるが、本実施例において無くても良い。
本実施例によれば、遊技釘１４が鉄製（導電性を有する材料で成形されている）であることから、巻きコイル２５に電流が流れると、その電流の向きによって、遊技釘１４が図面上左右方向（図中Ｓ，Ｓ１で示す孔方向）にスライド移動する。
【００３２】
本実施例によれば、例えば表側遊技領域Ａに存している所定位置の遊技釘１４を、裏側遊技領域Ｂに向けて貫通孔２２の孔方向（Ｓ，Ｓ１）にスライドさせることにより、前記表側領域Ａ位置には遊技釘１４が存しなくなり、相対向する裏側遊技領域Ｂ位置に前記遊技釘１４が突出して備えられることとなる。このような構成を採用することで、一本の遊技釘１４を遊技盤１９の表裏、すなわち表側遊技領域Ａと裏側遊技領域Ｂの双方で使用できるとともに、遊技釘１４の有無による遊技球の転動流下に容易に変化を与えることが可能となる。
また、本実施例では、コイル２５との図示しない電気的接続部品を遊技盤ベース１８内に挿通させるために、挿通孔２６を予め穿設した遊技盤ベース１８，１８を二枚重ね合わせた構造を採用する。
【実施例３】
【００３３】
図５は本発明の実施例３で、遊技釘１４を備えた遊技盤ベース１８の一部が遊技盤ベース１８の表側と裏側で反転可能に構成することで、遊技盤ベース１８に備えた遊技釘１４のうちの任意の箇所の遊技釘が、表側遊技領域Ａと裏側遊技領域Ｂで相互に入れ替え可能な構成を有する実施の一例である。その他の構成については実施例１と同様であるため説明は省略する。
例えば、その一例について図５に示す実施の構成に基づいて説明する。図５（ａ）は、要部の横断断面図、（ｂ）は円盤部分の正面図である。
【００３４】
本実施例では、遊技盤ベース１８の所定領域を表裏面にわたって円盤状に貫通させて貫通孔２７を形成するとともに、その貫通孔２７に摺動可能に嵌り合う円盤部分２８を形成し、該円盤部分２８の表裏面に夫々遊技釘１４，１４が植設されている。なお、特に限定はされないが、円盤部分２８は、遊技盤ベース１８と同一材質からなるものが好ましい。
この場合、円盤部分１８の表裏面の遊技釘１４，１４構成は異なるものとしている。例えば一方の遊技釘１４は円盤部分２８から直交して突出した真直ぐな遊技釘で、他方の遊技釘１４は円盤部分２８に傾斜交差して突出する傾斜状の遊技釘としている。また、双方の遊技釘１４，１４を夫々傾斜状の遊技釘とし、夫々の傾斜角度、傾斜方向を異にする構成を採用することもできる。また、円盤部分２８の回動を妨げない範囲で双方の遊技釘１４，１４の配設数を異にすることも、配設位置を異にすることも可能である。
そして、この円盤部分２８を前記遊技盤ベース１８の貫通孔２７に回動（反転）可能に取り付ける。図中、２９，２９は円盤部分２８の回動軸を示す。また、本実施例では、回動軸２９の軸孔３０を予め穿設した遊技盤ベース１８，１８を二枚重ね合わせた構造を採用する。このように遊技盤ベース１８を二枚重ね合わせた構成とすることで、円盤部分２８の取付性の向上や回動軸２９の軸孔が容易に提供できる。
【００３５】
このような構成を採用することにより、円盤部分２８を回動操作して表側遊技領域Ａに位置する遊技釘１４と裏側遊技領域Ｂに位置する遊技釘１４を適宜変更することにより、遊技領域Ａ，Ｂの釘調整をすることができる。
また、円盤部分２８を自動的に回動操作する構成を付加することもできる。例えば、図示はしないが、円盤部分２８の一方の回動軸２９を長尺状に構成して遊技盤ベース１８内に配設するとともに、その末端側を遊技盤ベース１８外にて所望な駆動源（駆動モータなど）により自動的に回動制御する構成が一例として挙げられる。また、本実施例のように、遊技盤ベース１８を二枚重ね合わせた構造を採用することで、前記回動軸２９の軸孔３０が容易に提供できる。
なお、円盤部分２８を自動的に回動制御する構成は特に限定されず周知の駆動構造が本発明の範囲内で適用可能である。
このように自動的に回動操作可能とすることにより、遊技中に所定領域の釘構成を遊技盤１９の表裏で変更できるため、例えばこの操作を遊技者が自由に行えるように、図示しない操作部を遊技機前面に備える構成とすれば、遊技者に飽きを感じさせることもないので遊技の興趣を向上させることができる。
【図面の簡単な説明】
【００３６】
【図１】本発明弾球遊技機の一実施例を示す全体斜視図。
【図２】遊技盤の概略正面図。
【図３】遊技盤の一部概略断面図。
【図４】実施例２の要部を示す一部概略横断面図。
【図５】実施例３の要部を示す一部概略横断面図。
【符号の説明】
【００３７】
Ａ  表側遊技領域
Ｂ  裏側遊技領域
１４  遊技釘
１８  遊技盤ベース
１９  遊技盤
２０  遊技球導出孔
２１  遊技球導入孔
【図１】
2006247107.tif 000003
【図２】
2006247107.tif 000004
【図３】
2006247107.tif 000005
【図４】
2006247107.tif 000006
【図５】
2006247107.tif 000007